(57)【特許請求の範囲】
【請求項１】
ファインダケース内に、少なくとも二つのプリズムが、被写体像の結像面付近において連結される如く配置されてなるプリズム光学系を備えた光学ファインダにおいて、
前記プリズム光学系が前記ファインダケース内に装着されたとき、当該プリズム光学系を前記ファインダケース内の特定方向へ付勢して固定化するプリズム固定部材を備え、
前記プリズム固定部材は、前記プリズム光学系における前記二つのプリズムの対向する光束通過面同士を互いに接近させる方向へ付勢することにより、当該二つのプリズムを一体的に締結する締結手段を更に備えていることを特徴とする光学ファインダ。
【請求項２】
前記プリズム固定部材は、弾性部材で形成され、一部に前記プリズム光学系に対して取付け可能な取付け部を有し、他の一部に前記プリズム光学系が前記ファインダケース内に装着されたとき、当該ケース内部に当接して弾性変形し、前記プリズム光学系を当該ケース内の特定方向へ付勢する付勢部を有し、
前記締結手段は、前記取り付け部に含まれることを特徴とする請求項１に記載の光学ファインダ。
【請求項３】
前記特定方向は、前記プリズム光学系を前記ファインダケースに収容するために設けた取付け余裕分をキャンセルする方向であることを特徴とする請求項１又は２に記載の光学ファインダ。
【請求項４】
前記ファインダケースは、周囲を側壁で囲まれ、一端が前記プリズム光学系を装着するための開口端となっているケース本体と、このケース本体の前記開口端を前記プリズム光学系が装着された後に閉塞するケース蓋体とを有し、
前記付勢部は、前記ケース本体の側壁内面及び前記ケース蓋体の内面にそれぞれ当接して弾性変形し、前記プリズム光学系を二つの特定方向に付勢する二種類の付勢部を含んでいることを特徴とする請求項３に記載の光学ファインダ。
【請求項５】
前記二つのプリズムは、対向する光束通過面を有する各々の一端に、光軸と交差する方向に突出する突縁部をそれぞれ有し、
前記締結手段は、上記突縁部同士を弾性的に挟持するクリップ機構からなることを特徴とする請求項１又は請求項２に記載の光学ファインダ。
【請求項６】
前記二つのプリズムは、対向する光束通過面を有する各々の一端に、光軸と交差する方向に突出する一対の突縁部をそれぞれ有し、前記締結手段は、上記一対の突縁部同士をそれぞれ弾性的に挟持する一対のクリップ機構からなることを特徴とする請求項１又は請求項２に記載の光学ファインダ。
【請求項７】
前記二つのプリズムの対向する光束通過面の周辺部に、当該プリズム相互の位置決めを行なうための位置決め手段が設けられていることを特徴とする請求項１又は請求項２に記載の光学ファインダ。
【請求項８】
前記二つのプリズムの対向する光束通過面の相互間に、視野形状を決めるための視野枠が更に配置され、前記位置決め手段は、前記プリズム相互の位置決め及び上記視野枠の取付け位置の位置決めを共通に行なう如く設けられていることを特徴とする請求項７に記載の光学ファインダ。
【発明の詳細な説明】
【０００１】
【発明の属する技術分野】
本発明は、ファインダケース内に、少なくとも二つのプリズムが、被写体像の結像面付近において連結される如く配置されてなるプリズム光学系を備えた光学ファインダに関する。
【０００２】
【従来の技術】
一般にこの種の光学ファインダは、例えば特開２００１−２７７０４に開示されているように、ファインダ光学系を構成するプリズム光学系が、第１のプリズム光学系と第２のプリズム光学系とからなり、第１のプリズム光学系と第２のプリズム光学系との対向面間に結像面が存在するように設定されている。プリズムを二体化させ、対向面間に結像面が存在するように構成する理由は、対向面間に薄板部材からなる視野枠を配置するためである。このとき被写体と視野枠との結像位置が一致しないと良好な観察ができない。従って上記の如く対向面間に結像面が存在するように設定される。
【０００３】
このようなプリズム光学系を含むファインダ光学系を備えた光学ファインダにおいては、上記プリズム光学系を所定位置に保持するための手段として、接着剤を用いた接着手段が採用されている。すなわちプリズムと当該プリズムを収容するためのファインダケースとの間に、例えば紫外線硬化接着剤等の接着剤を塗布し、これを硬化させることにより両者間の接着固定を行なっている。
【０００４】
また、第１のプリズム光学系と第２のプリズム光学系との対向面間に侵入してくるゴミを防ぐため、プリズムの対向面の周辺に接着剤を塗布したり、外部からファインダケース内部へゴミが侵入するおそれのある隙間等を、できるだけ少なくする等の対策を講じていた。
【０００５】
【発明が解決しようとする課題】
上記のように、従来は、プリズム光学系をファインダケースの所定位置に保持する為に、プリズムをファインダケースに対して接着剤で接着固定していた。このため接着用の特殊工具を用いた煩雑な作業が必要であった。その結果、組立て工数が増大し、コスト高になるという問題があった。
【０００６】
また、ゴミの侵入を防ぐためにプリズム周辺に接着剤を塗布した場合、上記と同様に組立て工数の増大が発生するばかりでなく、例えば接着後において結像面付近にゴミが侵入した事が発見されたような場合、上記接着個所を剥離解体しない限り上記ゴミを除去できないことになる。しかし接着個所を剥離解体した場合には、プリズムなどを再利用することは殆ど不可能となる。従って通常の場合は廃棄処分せざるを得ない。その結果、コスト高になってしまう。
【０００７】
本発明は、このような事情に基づいてなされたものであり、その目的は、下記のような利点を有する光学ファインダを提供することにある。
（ａ）組付け作業が簡単で製作が容易である。
（ｂ）プリズム交換作業等を簡単に行なえるうえ、プリズム同士の対向面間に侵入したゴミ等を容易に排除可能である。
【０００８】
【課題を解決するための手段】
前記課題を解決し目的を達成するために、本発明の光学ファインダは下記のような特徴ある構成を有している。なお下記以外の特徴ある構成については実施形態の中で明らかにする。
【０００９】
本発明の光学ファインダは、ファインダケース内に、少なくとも二つのプリズムが、被写体像の結像面付近において連結される如く配置されてなるプリズム光学系を備えた光学ファインダにおいて、
前記プリズム光学系が前記ファインダケース内に装着されたとき、当該プリズム光学系を前記ファインダケース内の特定方向へ付勢して固定化するプリズム固定部材を備え、前記プリズム固定部材は、前記プリズム光学系における前記二つのプリズムの対向する光束通過面同士を互いに接近させる方向へ付勢することにより、当該二つのプリズムを一体的に締結する締結手段を更に備えていることを特徴とする。
【００１０】
上記光学ファインダにおいては、接着剤を用いての接着作業を必要としないので、組付け作業が簡単で製作が容易となる。
【００１１】
【発明の実施の形態】
（第１実施形態）
図１の（ａ）（ｂ）は本発明の第１実施形態に係る光学ファインダの概要を示す図で、（ａ）は上記光学ファインダが適用されたコンパクト形電子カメラの概略的構成を示す図であり、（ｂ）は上記光学ファインダの外観を示す外観斜視図である。
【００１２】
図１の（ａ）（ｂ）に示すように、このコンパクト型電子カメラ１は前面中央部に撮影レンズ窓２及びファインダ前窓６を有しており、上面にレリーズボタン８を有している。電子カメラ１の内部には、撮影レンズ窓２から入射した被写体からの光束ＯＡをプリズム３で水平方向に略直角に反射し、撮影光学系４を介して撮像素子５の受光面に被写体像を結像させる撮影レンズユニットＬＵが収容されている。この撮影レンズユニットＬＵの上部には、若干の間隙を隔てて光学ファインダユニットＦＵが配置されている。光学ファインダユニットＦＵの側方には電池９が装填されている。また電子カメラ１の背面には、前記光学ファインダユニットＦＵによる像を観察するファインダ接眼窓７が配置されている。
【００１３】
光学ファインダユニットＦＵは、ファインダケース１０の内部に、後述する対物レンズ群２1〜２３を有するレンズ光学系２０と第１，第２のプリズム３１，３２を有するプリズム光学系３０とを備えている。プリズム光学系３０は、第１のプリズム（ダハプリズム）３１と第２のプリズム３２とを、被写体像の結像面Ｐ付近において連結する如く配置したものとなっている。
【００１４】
図２は光学ファインダユニットＦＵの内部構造を示す分解斜視図である。図２に示すように、ファインダケース１０はＳ字形の陥凹部を有するケース本体１０Ａと平板形のケース蓋体１０Ｂとからなっている。ケース本体１０Ａは周囲を側壁で囲まれ、一端が前記プリズム光学系３０を装着するための開口端となっている。ケース蓋体１０Ｂは上記ケース本体１０Ａに前記プリズム光学系３０が装着された後に前記開口端を閉塞する部材である。
【００１５】
ケース本体１０Ａの前端部には前記ファインダ前窓６に対向する円孔１１が設けられており、ケース本体１０Ａの後端部には前記ファインダ接眼窓７に対向する角孔１５が設けられている。またＳ字形をなす陥凹部は、主としてレンズ光学系２０を収容するための収容部１２と、プリズム光学系３０を収容するための収容部１３とが連接されたものとなっている。なお符号１４は第１のプリズム３１と第２のプリズム３２の対向面周辺部にそれぞれ形成されている後述する突縁部を収容する為の突縁部収容溝である。またケース本体１０Ａの底部には、第１のプリズム３１に対応する位置に位置決めボスＢ１が突設され、第２のプリズム３２に対応する位置に位置決めボスＢ２が突設されている。
【００１６】
レンズ光学系収容部１２には、第１の対物レンズ２１、第２の対物レンズ２２、第３の対物レンズ２３を備えたレンズ光学系２０が収容される。なお第２の対物レンズ２２、第３の対物レンズ２３はズーミング用のレンズである。またプリズム光学系収容部１３には第１，第２のプリズム３１，３２を備えたプリズム光学系３０が収容される。第１のプリズム３１は所謂ダハプリズムであり、その反射面後部には、ダハ部３３が接合されている。第２のプリズム３２の後端面には接眼レンズ３４が配置されている。
【００１７】
かくして前記ファインダ前窓６から入射した被写体からの光束すなわち観察光は、レンズ光学系２０を通して第１のプリズム（ダハプリズム）３１に入射する。第１のプリズム（ダハプリズム）３１で上下を反転された状態の観察光は、第２のプリズム３２に入射する。第２のプリズムで２回全反射された観察光は接眼レンズ３４へ入射する。接眼レンズ３４を通して得られる被写体像は、カメラ後面に設けられている前記ファインダ接眼窓７から観察することができる。
【００１８】
上記プリズム光学系３０には、プリズム固定部材４０が取付けてある。プリズム固定部材４０は、第１，第２のプリズム３１，３２を一体的に締結すると共に、プリズム光学系３０がファインダケース１０の内部に装着されたとき、当該プリズム光学系３０をファインダケース１０内の特定方向へ付勢して固定化するためのものである。プリズム光学系３０及びプリズム固定部材４０等を含むプリズムユニットＰＵの具体的構成については後述する。レンズ光学系２０とプリズム光学系３０とがケース本体１０Ａの中に収容された後、ケース本体１０Ａの開口部はケース蓋体１０Ｂによって密閉される。ケース蓋体１０Ｂはケース本体１０Ａの開口部に対し例えばねじ（不図示）でねじ止めされる。
【００１９】
図３は前記プリズムユニットＰＵの具体的構成を示す図で、（ａ）は上記ユニットＰＵを分解して示す斜視図、（ｂ）は第１，第２のプリズム３１，３２の対向面近傍のみを切り出して示す斜視図である。図３に示すように、第１のプリズム３１と第２のプリズム３２は、対向する光束通過面を有する各々の一端に、光軸と交差する方向に突出する一対の突縁部３１ａ，３１ｂ及び３２ａ，３２ｂをそれぞれ有している。
【００２０】
そして上記第１のプリズム３１の対向面すなわち対向する光束通過面の周辺部（プリズム有効範囲の周辺部）は当接用の平面となっている。この当接用の平面には位置決め用の凸部（ボス）３１ｃ，３１ｄが設けてある。
【００２１】
同様に、上記第２のプリズム３２の対向面すなわち対向する光束通過面の周辺部（プリズム有効範囲の周辺部）も当接用の平面となっている。この当接用の平面上の上記凸部（ボス）３１ｃ，３１ｄに対応する個所には、上記凸部３１ｃ，３１ｄと嵌合することにより、位置決めを行なうための凹部（穴）３２ｃ，３２ｄが設けられている。
【００２２】
第１のプリズム３１と第２のプリズム３２は、上記当接用の平面どうしが空隙Ｇを置いて対向する如く配置され、その空隙Ｇの中に前記結像面Ｐが形成されるように光学設計がなされている。上記空隙Ｇには視野形状を決めるための視野枠５０が挿入配置される。この視野枠５０の周辺部５０ａにおける前記凸部３１ｃ，３１ｄに対応する個所には、位置決め用の透孔５０ｃ及び５０ｄが設けられている。
【００２３】
かくしてプリズム組付け時において、第１のプリズム３１の当接用の平面に設けてある凸部（ボス）３１ｃ，３１ｄを、視野枠５０の透孔５０ｃ，５０ｄを貫通させたのち、第２のプリズム３２の当接用の平面に設けてある凹部（穴）３２ｃ，３２ｄに嵌合させることにより、第１のプリズム３１と視野枠５０と第２のプリズム３２との三者は、相互間の位置決めを同時に行なわれ、且つ一体化される。このように一体化された第１，第２のプリズム３１，３２の接合部には、プリズム固定部材４０が取付けられる。また第１のプリズム３１の底面には前記位置決めボスＢ１に対応する位置決め穴Ｑ１が形成されており、第２のプリズム３２の底面には前記位置決めボスＢ２に対応する長穴形状の位置決め穴Ｑ２が形成されている。
【００２４】
図４はプリズム固定部材４０の構成を詳細に示す斜視図である。図４に示すように、プリズム固定部材４０は、例えば金属あるいは樹脂などの弾性部材にて形成された板バネからなるものであり、図示の如く四足動物に似た形状を呈している。背骨に相当するような形状をなす短冊状の主柱部４０Ａの前端部近傍と後端部近傍には、それぞれ前足及び後足に相当するような形状をなす取付け部４１と４２とが設けられている。
【００２５】
これら取付け部４１及び４２は、それぞれＵ字状に屈曲された一対の脚部４１ａ，４１ｂ及び脚部４２ａ，４２ｂをそれぞれ有している。上記一対の脚部４１ａ，４１ｂ及び脚部４２ａ，４２ｂは、それぞれ前記第１，第２のプリズム３１，３２に設けられた一対の突縁部３１ａ，３１ｂ及び３２ａ，３２ｂに対して嵌め込まれたとき、上記突縁部３１ａ，３１ｂ及び３２ａ，３２ｂを所定圧力で挟持可能な如く、矢印Ｘの方向へ偏倚するように設定されている。従って、上記脚部４１ａ，４１ｂ及び脚部４２ａ，４２ｂは、上記一対の突縁部同士３１ａと３２ａ、３１ｂと３２ｂをそれぞれ弾性的に挟持する一対のクリップ機構として働く。
【００２６】
このように本実施形態における取付け部４１及び４２は、プリズム光学系３０における二つのプリズム３１，３２の対向する光束通過面同士を互いに接近させる方向へ付勢し、当該二つのプリズム３１，３２を一体的に締結する締結手段Ｔを含んでいる。
【００２７】
プリズム固定部材４０の他の一部には、前記プリズム光学系３０が前記ファインダケース１０内に装着されたとき、当該ケース１０の内部に当接して弾性変形し、前記プリズム光学系３０を当該ケース１０内の二つの特定方向へそれぞれ付勢する二種類の付勢部４３、及び４４，４５を有している。前記特定方向とは、前記プリズム光学系３０を前記ファインダケース１０に収納するために設けた取付け余裕分をキャンセルする方向である。
【００２８】
付勢部４３は、短冊状をなす前記主柱部４０Ａの前端をくの字状に延長して形成されたバネ部片であり、その山形状に屈曲された頂部に設けた当接部４３ｆが矢印Ｙの方向へ偏倚するように設定されている。
【００２９】
付勢部４４及び４５は前記主柱部４０Ａと十字状に交差するように形成された短冊状をなすバネ部片であり、その両端に設けた当接部４４ｆ、４５ｆが矢印Ｚの方向へ偏倚するように設定されている。
【００３０】
図５の（ａ）（ｂ）はプリズム固定部材４０の作用を示す図である。プリズム固定部材４０の取付け部４１，４２を第１，第２のプリズム３１，３２に設けられた一対の突縁部３１ａ，３１ｂ及び３２ａ，３２ｂに対して嵌め込むことにより、このプリズム固定部材４０は光学系３０に取付けられる。そうすると上記一対の突縁部３１ａ，３１ｂ及び３２ａ，３２ｂは取付け部４１の脚部４１ａ，４１ｂ及び取付け部４２の脚部４２ａ，４２ｂによって挟持力ＸＦで挟持されるため、二つのプリズム３１，３２は一体的に締結される。
【００３１】
このとき両プリズム３１，３２の当接用の平面は、視野枠５０の周辺部全周に亘って隙間ができないように密着する。このため、プリズム３１，３２の対向面間に外部からゴミ等が侵入するのを防止できる。
【００３２】
上記の如く一体的に締結された第１，第２のプリズム３１，３２をファインダケース１０の内部に挿入すると、付勢部４３の当接部４３ｆがケース本体１０Ａの側壁内面に当接して弾性変形し、その反発力が付勢力ＹＦとなってプリズム光学系３０を反対側のケース側壁内面方向へ付勢する。その結果、プリズム光学系３０は位置決めボスＢ１に係合している位置決め穴Ｑ１を回転中心として回動し、位置決めボスＢ２に係合している長穴からなる位置決め穴Ｑ２の当て付け面が位置決めボスＢ２に圧接する。その結果、プリズム光学系３０はケース本体１０Ａの所定位置に安定に位置決めされる。
【００３３】
ケース本体１０Ａの開口部をケース蓋体１０Ｂで密閉すると、付勢部４４の当接部４４ｆ，付勢部４５の当接部４５ｆがケース蓋体１０Ａの内面に当接して弾性変形し、その反発力が付勢力ＺＦとなってプリズム光学系３０をケース本体内方へ付勢する。その結果、プリズム光学系３０はケース本体１０Ａの底部に対して押圧保持される。
【００３４】
（実施形態における特徴点）
［１］実施形態に示された光学ファインダＦＵは、
ファインダケース１０内に、少なくとも二つのプリズム３１，３２が、被写体像の結像面Ｐ付近において連結される如く配置されてなるプリズム光学系３０を備えた光学ファインダＦＵにおいて、
前記プリズム光学系３０が前記ファインダケース１０内に装着されたとき、当該プリズム光学系３０を前記ファインダケース１０内の特定方向へ付勢して固定化するプリズム固定部材４０を備えたことを特徴としている。
【００３５】
上記光学ファインダＦＵにおいては、接着剤を用いての接着作業を必要としないので、組付け作業が容易である。
【００３６】
［２］実施形態に示された光学ファインダＦＵは、前記［１］に記載の光学ファインダであって、
前記プリズム固定部材４０は、弾性部材（板バネ等）で形成され、一部に前記プリズム光学系３０に対して取付け可能な取付け部４１，４２を有し、他の一部に前記プリズム光学系３０が前記ファインダケース１０内に装着されたとき、当該ケース１０内部に当接して弾性変形し、前記プリズム光学系３０を当該ケース１０内の特定方向へ付勢する付勢部４３，４４，４５を有するものであることを特徴としている。
【００３７】
上記光学ファインダＦＵにおいては、弾性部材からなるプリズム固定部材４０によって、プリズム光学系３０をファインダケース１０内に着脱自在に装着することが可能である。このためプリズム交換作業等を簡単に行なえるうえ、プリズム同士の対向面間に侵入したゴミ等の排除が容易となる。
【００３８】
［３］実施形態に示された光学ファインダＦＵは、前記［１］又は［２］に記載の光学ファインダであって、
前記特定方向は、前記プリズム光学系３０を前記ファインダケース１０に収容するために設けた取付け余裕分をキャンセルする方向であることを特徴としている。
【００３９】
［４］実施形態に示された光学ファインダＦＵは、前記［２］に記載の光学ファインダであって、
前記ファインダケース１０は、周囲を側壁で囲まれ、一端が前記プリズム光学系を装着するための開口端となっているケース本体１０Ａと、このケース本体１０Ａの前記開口端を前記プリズム光学系３０が装着された後に閉塞するケース蓋体１０Ｂとを有し、
前記付勢部４３，４４，４５は、前記ケース本体１０Ａの側壁内面及び前記ケース蓋体１０Ｂの内面にそれぞれ当接して弾性変形し、前記プリズム光学系３０を二つの特定方向に付勢する二種類の付勢部４３、及び４４，４５を含んでいることを特徴としている。
【００４０】
［５］実施形態に示された光学ファインダＦＵは、前記［１］又は［２］又は［４］に記載の光学ファインダであって、
前記プリズム固定部材４０は、前記プリズム光学系３０における前記二つのプリズム３１，３２の対向する光束通過面同士を互いに接近させる方向へ付勢することにより、当該二つのプリズム３１，３２を一体的に締結する締結手段Ｔを更に備えていることを特徴としている。
【００４１】
上記光学ファインダＦＵにおいては、単一のプリズム固定部材４０によって、二つのプリズム３１，３２の一体化と、ファインダケース１０に対するプリズム光学系３０の固定化とを一括して行なえる。
【００４２】
［６］実施形態に示された光学ファインダＦＵは、前記［２］又は［４］に記載の光学ファインダであって、
前記取付け部４１，４２は、前記プリズム光学系３０における前記二つのプリズム３１，３２の対向する光束通過面同士を互いに接近させる方向へ付勢することにより、当該二つのプリズム３１，３２を一体的に締結する締結手段Ｔを含んでいることを特徴としている。
【００４３】
上記光学ファインダＦＵにおいては、プリズム固定部材４０の取付け部４１，４２をプリズム光学系３０に取付け操作する際に、二つのプリズム３１，３２の締結操作が同時に行なわれる。このため締結手段Ｔを別途設ける必要がなく、プリズム固定部材４０の構造がシンプルなものとなる。
【００４４】
［７］実施形態に示された光学ファインダＦＵは、前記［５］又は［６］に記載の光学ファインダであって、
前記二つのプリズム３１，３２は、対向する光束通過面を有する各々の一端に、光軸と交差する方向に突出する突縁部（３１ａ，３１ｂ及び３２ａ，３２ｂ）をそれぞれ有し、
前記締結手段Ｔは、上記突縁部同士（３１ａと３２ａ、３１ｂと３２ｂ）を弾性的に挟持するクリップ機構からなることを特徴としている。
【００４５】
上記光学ファインダＦＵにおいては、クリップ機構からなる締結手段Ｔにより突縁部（３１ａと３２ａ、３１ｂと３２ｂ）を挟み付けるだけで、二つのプリズム３１，３２が容易且つ的確に一体化される。
【００４６】
［８］実施形態に示された光学ファインダＦＵは、前記［５］又は［６］に記載の光学ファインダであって、
前記二つのプリズム３１，３２は、対向する光束通過面を有する各々の一端に、光軸と交差する方向に突出する一対の突縁部３１ａ，３１ｂ及び３２ａ，３２ｂをそれぞれ有し、
前記締結手段Ｔは、上記一対の突縁部同士３１ａと３２ａ、３１ｂと３２ｂをそれぞれ弾性的に挟持する一対のクリップ機構からなることを特徴としている。
【００４７】
上記光学ファインダにおいては、二つのプリズム３１，３２の両側に形成されている一対の突縁部３１ａ，３１ｂ及び３２ａ，３２ｂが、一対のクリップ機構からなる締結手段Ｔによって挟持されるので、二つのプリズムは安定した形態で締結される。
【００４８】
［９］実施形態に示された光学ファインダＦＵは、前記［５］ないし［８］のいずれか一つに記載の光学ファインダであって、
前記二つのプリズム３１，３２の対向する光束通過面の周辺部に、当該プリズム３１，３２相互の位置決めを行なうための位置決め手段（凹凸部３１ｃ，３１ｄ、３２ｃ，３２ｄ同士の嵌合等）が設けられていることを特徴としている。
【００４９】
上記光学ファインダＦＵにおいては、位置決め手段により二つのプリズム３１，３２が簡単且つ正確に位置決めされるので、組立作業が容易化する。
【００５０】
［１０］実施形態に示された光学ファインダＦＵは、前記［９］に記載の光学ファインダであって、
前記二つのプリズム３１，３２の対向する光束通過面の相互間に、視野形状を決めるための視野枠５０が更に配置され、前記位置決め手段（凹凸部３１ｃ，３１ｄ、３２ｃ，３２ｄ同士の嵌合等）は、前記プリズム３１，３２相互の位置決め及び上記視野枠５０の取付け位置の位置決めを共通に行なう如く設けられていることを特徴としている。
【００５１】
上記光学ファインダＦＵにおいては、前記プリズム３１，３２相互の位置決め及び視野枠５０の取付け位置の位置決めが、単一の位置決め手段により共通に行なわれる。このため組立てが容易であり、視野枠５０の位置ずれが防止される。
【００５２】
（変形例）
実施形態に示された光学ファインダは、下記の変形例を含んでいる。
・二つのプリズム３１，３２を一体的に締結する締結手段Ｔが、プリズム固定部材４０をプリズム光学系３０に取付ける為の取付け部とは別に設けられたもの。
・付勢部を４個以上設けたもの。
・突縁部を１箇所にだけ設けたもの。
【００５３】
【発明の効果】
本発明によれば下記のような作用効果を有する光学ファインダを提供できる。
【００５４】
（ａ）接着剤を用いた接着作業を必要としないので、組付け作業が簡単で製作が容易である。
【００５５】
（ｂ）弾性部材からなるプリズム固定部材によって、プリズム光学系をファインダケース内に着脱自在に装着することが可能であるため、プリズム交換作業等を簡単に行なえるうえ、プリズム同士の対向面間に侵入したゴミ等の排除が容易である。
【図面の簡単な説明】
【図１】本発明の第１実施形態に係る光学ファインダの概要を示す図で、（ａ）は上記光学ファインダが適用されたコンパクト形の電子カメラの概略的構成を示す図、（ｂ）は上記光学ファインダの外観を示す外観斜視図。
【図２】本発明の第１実施形態に係る光学ファインダユニットの内部構造を示す分解斜視図。
【図３】本発明の第１実施形態に係るプリズムユニットの具体的構成を示す図で、（ａ）は上記ユニットを分解して示す斜視図、（ｂ）は第１，第２のプリズムの対向面近傍のみを切り出して示す斜視図。
【図４】本発明の第１実施形態に係るプリズム固定部材の構成を詳細に示す斜視図。
【図５】（ａ）（ｂ）は、本発明の第１実施形態に係るプリズム固定部材の作用を示す図。
【符号の説明】
ＬＵ…撮影レンズユニット
ＦＵ…光学ファインダユニット
ＰＵ…プリズムユニット
Ｔ…締結手段
１０…ファインダケース
１０Ａ…ケース本体
１０Ｂ…ケース蓋体
２０…レンズ光学系
２1〜２３…第１〜第３の対物レンズ
３０…プリズム光学系
３１…第１のプリズム（ダハプリズム）
３２…第２のプリズム
４０…プリズム固定部材
４１，４２…取付け部
４３，４４，４５…付勢部
５０…視野枠
【図１】
0004179796.tif 000002
【図２】
0004179796.tif 000003
【図３】
0004179796.tif 000004
【図４】
0004179796.tif 000005
【図５】
0004179796.tif 000006